(57)【要約】【課題】アナログ放送とデジタル放送の両放送を受信可能な受信機において、従来のチャンネルオートサーチ処理では、デジタル放送取得時に多くの時間がかかるため、チャンネルオートサーチのトータル時間が長くなってしまうという課題があった。【解決手段】チャンネルオートサーチ時には、各チャンネルの有無を判断する順番を、アナログ放送有無の判断、入力信号有無の判断、デジタル放送有無の判断の順番にする。さらに、デジタル放送有無の判断は、アナログ放送無しで、かつ入力信号有りという条件から判断するようにし、チャンネルオートサーチ時間を大幅に軽減した。【選択図】図１
2006024994.tif 000002
【特許請求の範囲】
【請求項１】
チャンネルオートサーチ時に、各チャンネルの入力信号の有無を判断する順番を、アナログ放送の有無判断、入力信号レベル検出器による入力信号有無の判断、デジタル放送の有無判断の順番にし、かつデジタル放送の有無の判断はアナログ放送無しで入力信号レベルによる信号有りという条件からデジタル放送有りと判断するチャンネルサーチ機能を保持した、複数チャンネルのアナログ放送波と複数チャンネルのデジタル放送波とを含む周波数帯域のＲＦ信号を受信するアナログ／デジタル放送受信機。
【発明の詳細な説明】
【技術分野】
【０００１】
本発明は、複数チャンネルのアナログ放送波と複数チャンネルのデジタル放送波とを含む周波数帯域のＲＦ信号を受信するアナログ／デジタル放送受信機に関する。
【背景技術】
【０００２】
チャンネル選局情報メモリを有する選局装置において、その必要なチャンネル選局情報をメモリに記憶させる方法は種々あるが、その中でもオートサーチプリセットという方法がある。このプリセット方法は、受信可能なチャンネルの最小チャンネルから最大チャンネルまで自動的に掃引させて放送電波のでているチャンネルのみをメモリに記憶させるものである。
【０００３】
従来のアナログ放送受信機の場合、オートサーチ動作時において放送電波の有無検出手段として、水平同期信号と水平発振出力との位相が合っている場合には、信号「有」と判断する方法が知られている。さらに、受信電波のうちの電界強度が一定値以上のチャンネルの選局データだけをメモリに書き込むという方法がある（たとえば、特許文献１参照）
また、従来のデジタル放送受信機の場合、アナログ放送、デジタル放送を区別することなく順にチャンネルサーチして、各チャンネルの有無を判別し、放送がある場合には、アナログ放送かデジタル放送かを判別して、その判別結果をチャンネル情報メモリに登録しておく。そして、ユーザのチャンネル指定を受けたとき、そのチャンネル情報をメモリから該当するチャンネルの情報を読み出して、その情報から指定チャンネルがアナログ放送かデジタル放送かを判別し、アナログ放送の場合はアナログ復調出力を、デジタル放送の場合はデジタル復調出力を選択的に選別する。その方法により、デジタル放送サービスのチャンネルサーチを効率よく行って選局を自動的にかつ短時間に行うことが可能となっている（例えば、特許文献２参照）
【特許文献１】特開昭６１−１１１４号公報
【特許文献２】特開２００１−２３０６８９号公報
【発明の開示】
【発明が解決しようとする課題】
【０００４】
解決しようとする問題点は、現在のデジタル復調システムで同期信号やエラーフラグによりデジタル放送取得を確認する時間が数百ｍｓかかるという点である。そのため、上記の方法で、チャンネルオートサーチをすると、米国のアナログ放送とデジタル放送が混在するケーブル放送などの百数チャンネルもの多くのチャンネルの場合に、多くの時間がかかってしまうという点である。
【課題を解決するための手段】
【０００５】
本発明は、チャンネルオートサーチ時には、各チャンネルの入力信号の有無を判断する順番を、アナログ放送の有無判断、入力信号レベル検出器による入力信号有無の判断、デジタル放送の判断の順番にすることが最も主要な特徴とする。さらに、チャンネルオートサーチ時にデジタル放送を判断するときには、同期符号やエラー符号を使用するのではなく、アナログ放送無しでかつ入力信号レベル有りという条件からデジタル放送有りと判断することが特徴である。
【発明の効果】
【０００６】
本発明のアナログ／デジタル放送受信機は、米国のアナログ放送とデジタル放送が混在するケーブル放送など百数チャンネルもの多くのチャンネルをオートサーチする場合に、短時間でチャンネル情報を取得できるという利点がある。
【発明を実施するための最良の形態】
【０００７】
（実施の形態１）
図１は、本発明の第１の実施形態を示すアナログ／デジタル放送受信装置の構成を示す
ブロック図である。
【０００８】
アナログ放送とデジタル放送が混在しているＲＦ信号が入力される信号入力部１０１と、選局されたチャンネルの周波数とローカル信号を混合し規定周波数のＩＦ信号に周波数変換するアナログ／デジタル放送共用チューナ１０２と、アナログ放送を受信したときにチューナ１０２から出力された信号から選局信号の振幅レベルを検出するアナログ信号レベル検出部１０３と、アナログ放送を受信したときにＲＦ信号の受信レベルを検出して所定レベルになるようにシステムの利得制御を行うアナログＡＧＣ制御部１０４と、デジタル放送を受信したときにチューナ１０２から出力された信号から選局信号の振幅レベルを検出するデジタル信号レベル検出部２０３と、デジタル放送を受信したときにＲＦ信号の受信レベルを検出して所定レベルになるようにシステムの利得制御を行うデジタルＡＧＣ制御部２０４とを備える。
【０００９】
また、デジタル信号を受信したときに信号レベル検出部の出力する受信レベル検出結果から放送波の有無を判断する放送有無判定部１０５と、受信した信号がアナログとデジタル放送に応じて切り替えるＡＧＣ切り替えスイッチ２０１と、アナログ放送を復調するアナログ放送復調部１０６と、アナログ放送部１０６で得られる同期信号から、アナログ放送か否かを判定するアナログ放送判定部１０７と、デジタル放送を復調するデジタル放送復調部１０８と、受信したチャンネルがアナログ放送かデジタル放送かの信号により切り替えるアナログ／デジタル切替部１１０と、受信中のチャンネルがアナログ放送か放送波有無かの情報をチャンネル情報メモリ部１１３へ通知するチャンネル情報検出部１１２と、チャンネル情報検出部１１２から通知された情報をもとに受信可能な全てのチャンネルに対してアナログ放送かデジタル放送か放送波なしかの情報を記憶するチャンネル情報メモリ部１１３と、チューナ選局制御信号や受信可能な全てのチャンネルを順番にサーチするオートサーチ動作を制御する制御マイコン１１４によって、構成されている。
【００１０】
以下に動作を説明する。
【００１１】
図１において、まず信号入力部１０１に、ケーブル会社からデジタル放送チャンネル、アナログ放送チャンネルが混在した信号が送られてくる。この信号入力部１０１からの信号は、アナログ／デジタル放送共用チューナ１０２に供給される。チューナ１０２は、制御マイコン１０４からユーザが希望するチャンネルの周波数や、オートサーチアルゴリズムで設定される周波数情報が送られてくる。チューナ１０２はその周波数情報に基づいて、
後段のアナログ復調、デジタル復調で使用されるＩＦ周波数に周波数変換する役割をもっている。そして、後述のＡＧＣ（自動利得制御）信号により、入力信号を後段のアナログ復調部、およびデジタル復調部にとって最適なレベルに調整する。
【００１２】
ユーザの選局したチャンネルがアナログ放送の場合は、ＡＧＣ切り替えスイッチ２０１がアナログ放送受信の系に切り替えられ、このチューナ１０２の選局出力信号は、アナログ信号レベル検出部１０３に供給され選局した信号の振幅レベルが検出される。この検出結果はアナログＡＧＣ制御部１０４のＡＧＣ制御信号生成に使用される。
【００１３】
ユーザの選局したチャンネルがデジタル放送の場合は、ＡＧＣ切り替えスイッチ２０１がデジタル放送受信の系に切り替えられ、このチューナ１０２の選局出力信号は、デジタル信号レベル検出部２０３に供給され、選局した信号の振幅レベルが検出される。この検出結果はデジタルＡＧＣ制御部２０４のＡＧＣ信号生成に使用されるとともに、放送有無判定部１０５の放送波有無判定部に供給される。
【００１４】
そして、上記チューナ１０２の選局出力はアナログ放送復調部１０６とデジタル放送復調部１０８に供給される。ユーザの選局したチャンネルがアナログ放送の場合、アナログ放送復調部１０６で正しくアナログ復調され、後段のアナログ／デジタル切替部１１０に供給される。またアナログ放送復調部で得られるアナログ同期信号は、アナログ放送判定部１０７に供給される。ユーザの選局したチャンネルがデジタル放送の場合、デジタル復調部１０８にて正しくデジタル復調され、後段のアナログ／デジタル切替部１１０に供給される。
【００１５】
ユーザの選局したチャンネルがデジタル放送の場合、デジタル放送復調部１０８で正しくデジタル復調され、後段のアナログ／デジタル切替部１１０に供給される。またデジタル放送復調部で得られる同期信号はチャンネル情報検出部１１２へ入力される。
【００１６】
チャンネル情報検出部１１２は、アナログ放送判定部１０７のアナログ放送有り無しの情報と放送有無判定部１０５の放送有り無しの情報と、デジタル放送復調部１０８のデジタル同期情報を管理し、制御マイコン１１４に伝える。チャンネル情報メモリ部１１３は、制御マイコン１１４からの各チャンネル情報をメモリしておく役割を持つ。
【００１７】
また、制御マイコン１１４は、ユーザの選局したチャンネル情報や、オートサーチチャンネル指示信号に基づいて、チューナ１０２の選局、ＡＧＣ切り替え部２０１およびアナログ／デジタル切替部１１０の切り替え、チャンネル情報検出部１１２からの情報管理および、チャンネル情報メモリ部１１３への各チャンネル情報の書き込みなどのシステム全体の制御を行なう。
【００１８】
図２に本発明のチャンネルオートサーチの処理の流れを示す。ここでは、例として米国のケーブル放送（１３５ｃｈ）の動作を挙げている。
【００１９】
まず、チャンネルオートサーチが指示されると、最初にＣＨ＝１を設定してそのチャンネルをサーチし、アナログ復調同期が取得できるか否かを行う。ＣＨ＝１がアナログ放送であった場合、アナログ復調部１０６にてアナログ同期でき、アナログ放送判定部１０７より、このチャンネルはアナログ放送であるという情報がチャンネル情報検出部１１２へ出力される。そしてチャンネル情報メモリ部１１３にその情報がメモリされる。
【００２０】
ＣＨ＝１がアナログ放送でない場合は、信号レベル検出部で検出した信号レベルから、信号レベル検出部１０３が放送あり、なしの判断をする。信号レベルが所定値以上であれば、放送ありと判断し、アナログ放送でないことはすでにわかっているため、このチャンネルはデジタル放送であるという情報がチャンネル情報検出部１１２へ出力される。そしてチャンネル情報メモリ部１１３にその情報がメモリされる。信号レベル検出部で検出した信号レベルが所定値以下の場合、信号レベル検出部１０３からこのチャンネル情報検出部１１２へ放送なしという信号が送られる。そしてこのチャンネルはアナログ放送でもデジタル放送でもないという情報がチャンネル情報メモリ部１１３にメモリされる。この動作をＣＨ＝１からＣＨ＝１３５まで繰り返す。
【産業上の利用可能性】
【００２１】
本発明は、アナログ／デジタル放送受信機だけでなく、デジタル放送受信機能を持つＤＶＤ録画機などの用途にも適用できる。
【図面の簡単な説明】
【００２２】
【図１】本発明の第１の実施形態とする、アナログ／デジタル放送受信機の構成を示すブロック図
【図２】第１の実施形態におけるチャンネルオートサーチの処理の流れを示すフローチャート
【符号の説明】
【００２３】
１０１    信号入力部
１０２    チューナ
１０３    アナログ信号レベル検出部
１０４    アナログＡＧＣ制御部
１０５    放送有無判定部
１０６    アナログ放送復調部
１０７    アナログ放送判定部
１０８    デジタル放送復調部
１１０    アナログ／デジタル切替部
１１１    復調信号出力端子
１１２    チャンネル情報検出部
１１３    チャンネル情報メモリ部
１１４    制御マイコン  
１１５    チャンネル制御指示信号入力端子
２０１    ＡＧＣ切り替えスイッチ
２０３    デジタル信号レベル検出部
２０４    デジタルＡＧＣ制御部
【図１】
2006024994.tif 000003
【図２】
2006024994.tif 000004